(57)【要約】【課題】アルミニウム合金押出中空形材とカラーとの溶接による熱変形を防止でき、アルミニウム合金押出中空形材の開口する端縁側から他の部材を挿入して接合するような場合にも対応できる接合部補強用カラーの取付構造を提供する。【解決手段】ボルト挿通孔４が形成された筒状部５と、アルミニウム合金押出中空形材１の長手方向に直交する取付片６と、筒状部５と取付片６を連結する連結片７を有するアルミニウム合金押出形材からなるカラー３の前記取付片６を、矩形状断面のアルミニウム合金押出中空形材１の端縁に固定して取り付けてなる。【選択図】図１
2014190518.tif 000002
【特許請求の範囲】
【請求項１】
対向する平行な２面を有するアルミニウム合金押出中空形材の長手方向端部に接合部補強用のカラーが取り付けられてなる接合部補強用カラーの取付構造であって、
前記カラーは、ボルト挿通孔が形成された筒状部と、前記アルミニウム合金押出中空形材の長手方向端部に取り付けられる取付片と、前記筒状部と前記取付片を連結する連結片を有するアルミニウム合金押出形材からなり、
且つ、前記アルミニウム合金押出中空形材の長手方向端部の対向する平行な２面に、ボルト貫通孔が夫々設けられて、他の部材とのボルトによる接合部が形成されており、
前記カラーは、前記アルミニウム合金押出中空形材の対向する２面のボルト貫通孔間に、前記ボルト貫通孔とボルト挿通孔が連通するようにして、前記アルミニウム合金押出中空形材の開口する端縁側から前記筒状部が挿入されると共に、前記アルミニウム合金押出中空形材の端縁に前記取付片が固着されることで、前記アルミニウム合金押出中空形材に取り付けられていることを特徴とする接合部補強用カラーの取付構造。
【請求項２】
前記カラーの筒状部から連結片とは逆方向に補強片が延設していることを特徴とする請求項１記載の接合部補強用カラーの取付構造。
【請求項３】
前記カラーの補強片は、連結片とは逆方向に延びる延設片と、前記延設片の先端から直交する方向に分岐する分岐片よりなることを特徴とする請求項２記載の接合部補強用カラーの取付構造。
【請求項４】
前記補強片の上下端が、前記アルミニウム合金押出中空形材の内面に固着されていることを特徴とする請求項２または３記載の接合部補強用カラーの取付構造。
【発明の詳細な説明】
【技術分野】
【０００１】
本発明は、アルミニウム合金押出中空形材の長手方向端部に接合部補強用のカラーが取り付けられてなる接合部補強用カラーの取付構造に関するものである。
【背景技術】
【０００２】
従来から周知の通り、自動車やその他種々の車両などの車体のフレーム類、メンバー類、補強材などの構造部材、或いは車両に用いる種々の構造部材や構造部品（以下、単に構造部材と説明する。）には、比較的高強度な鋼材やアルミニウム合金材が使用されている。
【０００３】
特に、自動車やその他種々の車両などの場合、車体衝突事故の問題があり、衝突時に強い衝撃荷重が加わる構造部材には、単なる高強度化だけではなく衝突時の衝撃荷重に対して破断や座屈変形しないような高い変形強度が求められる。
【０００４】
このような構造部材の用途として、従来から高張力鋼板の加工品や成形品が広く用いられているが、近年では車体の軽量化という観点から、構造用部材自体を軽量化することも望まれている。そのため、高い変形強度が求められる構造部材の用途にも、これら高張力鋼板に替えてアルミニウム合金材を適用することが検討或いは実用化され始めている。
【０００５】
特に、アルミニウム合金押出形材を用いる場合は、アルミニウム合金板を用いる場合と異なり、鋼板並みの難しい成形を必要とせず、その断面が長手方向（押出方向）に一様という押出形材特有の形状を活かすことができる断面形状を有する構造部材に有利に適用することができる。例えば、アルミニウム合金押出形材を中空構造とすることで、鋼板を用いて成形や溶接などによって中空構造としている構造部材にそのまま代えることができる。また，アルミニウム合金押出形材を中空構造とすることで、中空部を有しないアルミニウム合金押出形材に比して、前記変形強度も大きくすることができる。そのため、中空構造を有する押出形材は、特許文献１〜３に記載のように、高い変形強度が求められる車体の構造部材に用いることが近年では多数検討されており、実用化もされている。
【０００６】
これらの押出形材製の車体構造部材は、その端部で他の部材と接合されることが多い。その接合には、溶融溶接や摩擦攪拌接合或いはセルフピアシングリベットやＴＯＸなどの機械的接合などが用いられるが、特に接合される部材が鋼など異種材料と接合される場合には、ボルト接合が採用されることが多い。
【０００７】
押出形材は、その断面形状が長手方向（押出方向）に一様な形状であるため、所定の強度或いは剛性を確保するための肉厚などの断面形状は、最も高い応力が加わる部位で定まることになる。一般的には他の部材と接合され、荷重に対する支持点或いは荷重作用点近傍で、最も高い応力が定まることは周知である。つまり、前記したようなボルト接合部において荷重負荷時に変形強度が高いことが求められる。
【０００８】
一般的に、アルミニウム合金押出中空形材を他の部材とボルト接合する場合は、アルミニウム合金押出中空形材の端部に、カラーと呼ばれる接合部補強用の構造部材を挿入し、アルミニウム合金押出中空形材に設けられたボルト貫通孔とカラーに設けられたボルト挿通孔にボルトを挿通することで接合されている。このようにカラーを用いてボルト接合することで、ボルト締結時にアルミニウム合金押出中空形材の端部が変形せず、また、十分なボルト締結軸力を確保することで、ボルト接合強度を高くできることが知られている。
【０００９】
この接合部補強用のカラーの形状には様々な形状があるが、最も一般的な形状は、図１４，１５に示すような円筒状である。しかし、カラー３が単なる円筒状で、アルミニウム合金押出中空形材１と溶接等の固着が必要な場合、アルミニウム合金押出中空形材１の中空部からの溶接等の固着作業が必要となり、作業が非常に困難であり、且つコスト増加も考えられる。そのため、特許文献４により、アルミニウム合金押出中空形材の一部にバーリング加工を施すことでカラーと嵌合させる方法も提案されている。尚、１１はボルト接合作業に用いるボルトである。
【００１０】
しかし、バーリング加工は手間を伴う方法であり、特にアルミニウム合金押出中空形材１は、比較的厚肉となることが多く、且つ、伸びが小さいため、バーリング加工によって破断してしまうこともあり、特許文献４記載の提案をそのまま採用することは困難である。また、同時に弾性率の低さに起因してスプリングバック量が大きくなり、所定のかしめ強度を得ることも難しいという問題があった。
【００１１】
そのため、図１６，１７に示すように、アルミニウム合金押出中空形材１の長手方向端部付近に形成された大きめのボルト貫通孔２から、孔明き円板状（ドーナツ状）の鍔部３ａが形成された鍔付き円筒状のカラー３を挿入し、鍔部３ａをアルミニウム合金押出中空形材１の外表面に溶接するという手法が、従来から一般的に行われている。しかしながら、鍔付き円筒状のカラー３は、切削或いは鍛造などにより製造する必要があり、単なる円筒状のカラー３と比較するとコストが大幅に上昇するという問題がある。また、アルミニウム合金押出中空形材１の溶接部周辺が焼鈍されることで強度が低下するという問題も同時に発生する。このアルミニウム合金押出中空形材１の溶接部周辺の強度低下を防止するためには、アルミニウム合金押出中空形材１の肉厚を厚くする必要があり、部品自体の質量が大幅に増加するという新たな問題を発生してしまう。
【００１２】
そのため、溶接部周辺の焼鈍を避け、熱ひずみが発生しにくい構造として、特許文献５記載の車両用サブフレームが提案されている。この車両用サブフレームでは、筒状体の外周面に両側に突出するよう一対のリブを形成したカラーを、フレーム部材（アルミニウム合金押出中空形材）に形成された円形孔およびスリットから挿入し、リブを用いて接合している。しかしながら、この方法では、フレーム部材にボルト接合孔となる円形孔に加えてその円形孔に連続するスリットまで形成する必要があり、フレーム部材が構造的に弱くなるという問題がある。
【００１３】
また、特許文献６により、中空部材（アルミニウム合金押出中空形材）の開口する端縁側からカラーを挿入する連結構造も提案されている。しかしながら、この提案では、かしめ接合でカラーを仮止めする構造であるため、図１８に示すように、中空部材（アルミニウム合金押出中空形材１）の開口する端縁側から他の部材１５を挿入して接合するような場合には、適用できない構造である。
【先行技術文献】
【特許文献】
【００１４】
【特許文献１】特開２００６−２４０５４３号公報
【特許文献２】特開２００８−２８５０１９号公報
【特許文献３】特開２００９−３５２４４号公報
【特許文献４】特開２００５−１６０３号公報
【特許文献５】特開２００８−１０５５２９号公報
【特許文献６】特開２００７−２８５７号公報
【発明の概要】
【発明が解決しようとする課題】
【００１５】
本発明は、上記従来の問題を解決せんとしてなされたもので、アルミニウム合金押出中空形材に接合部補強用のカラーを取り付ける際にたとえ溶接を採用したとしても、アルミニウム合金押出中空形材のボルト接合部が熱影響により強度低下することがなく、アルミニウム合金押出中空形材の熱変形を防止でき、且つ、アルミニウム合金押出中空形材の開口する端縁側から他の部材を挿入して接合するような場合にも対応することが可能で、更には低コストで部材を容易に製造することができる接合部補強用カラーの取付構造を提供することを課題とするものである。
【課題を解決するための手段】
【００１６】
請求項１記載の発明は、対向する平行な２面を有するアルミニウム合金押出中空形材の長手方向端部に接合部補強用のカラーが取り付けられてなる接合部補強用カラーの取付構造であって、前記カラーは、ボルト挿通孔が形成された筒状部と、前記アルミニウム合金押出中空形材の長手方向端部に取り付けられる取付片と、前記筒状部と前記取付片を連結する連結片を有するアルミニウム合金押出形材からなり、且つ、前記アルミニウム合金押出中空形材の長手方向端部の対向する平行な２面に、ボルト貫通孔が夫々設けられて、他の部材とのボルトによる接合部が形成されており、前記カラーは、前記アルミニウム合金押出中空形材の対向する２面のボルト貫通孔間に、前記ボルト貫通孔とボルト挿通孔が連通するようにして、前記アルミニウム合金押出中空形材の開口する端縁側から前記筒状部が挿入されると共に、前記アルミニウム合金押出中空形材の端縁に前記取付片が固着されることで、前記アルミニウム合金押出中空形材に取り付けられていることを特徴とする接合部補強用カラーの取付構造である。
【００１７】
請求項２記載の発明は、前記カラーの筒状部から連結片とは逆方向に補強片が延設していることを特徴とする請求項１記載の接合部補強用カラーの取付構造である。
【００１８】
請求項３記載の発明は、前記カラーの補強片は、連結片とは逆方向に延びる延設片と、前記延設片の先端から直交する方向に分岐する分岐片よりなることを特徴とする請求項２記載の接合部補強用カラーの取付構造である。
【００１９】
請求項４記載の発明は、前記補強片の上下端が、前記アルミニウム合金押出中空形材の内面に固着されていることを特徴とする請求項２または３記載の接合部補強用カラーの取付構造である。
【発明の効果】
【００２０】
請求項１記載の接合部補強用カラーの取付構造によると、アルミニウム合金押出中空形材に接合部補強用のカラーを取り付ける際にたとえ溶接を採用したとしても、アルミニウム合金押出中空形材へのカラーの取り付けは、取付片をアルミニウム合金押出中空形材の端縁に溶接することにより行われるので、荷重負荷時の応力が低い部分での溶接となり、その結果、溶接により熱影響を受ける溶接軟化部は、ボルト接合部とは離れた位置に形成されることとなり、アルミニウム合金押出中空形材のボルト接合部が熱影響により強度低下することがなく、容易に強度を確保することができる。また、アルミニウム合金押出中空形材が熱影響を受ける部位はその端縁付近となるため、アルミニウム合金押出中空形材の熱変形を防止することができる。
【００２１】
また、アルミニウム合金押出中空形材へのカラーの取り付けは、取付片をアルミニウム合金押出中空形材の端縁に固着することにより行われるので、アルミニウム合金押出中空形材外部での取付作業となり、アルミニウム合金押出中空形材へのカラーの取り付けを容易に行うことができる。
【００２２】
更には、アルミニウム合金押出中空形材の開放された端部側から他の部材を挿入してボルト接合するような場合にも、アルミニウム合金押出中空形材の内面にかしめや溶接による突起物が形成されることがないため、対応することが可能である。また、用いるカラーはアルミニウム合金押出形材からなるため、低コストで容易に製造することができる。
【００２３】
請求項２記載の接合部補強用カラーの取付構造によると、アルミニウム合金押出中空形材のボルト貫通孔より中央側領域をカラーによって局所的に補強することで、アルミニウム合金押出中空形材に荷重が付与された場合の変形を抑制することができ、質量の増加を最小限に抑えて変形強度を高くすることができる。
【００２４】
請求項３記載の接合部補強用カラーの取付構造によると、より効果的にアルミニウム合金押出中空形材の変形を抑制することができる。
【００２５】
請求項４記載の接合部補強用カラーの取付構造によると、更に効果的にアルミニウム合金押出中空形材の変形を抑制することができる。
【図面の簡単な説明】
【００２６】
【図１】本発明の一実施形態を示し、アルミニウム合金押出中空形材にカラーを取り付ける前の状態を示す斜視図である。
【図２】同実施形態を示し、アルミニウム合金押出中空形材にカラーを取り付けた後の状態を示す斜視図である。
【図３】本発明の異なる実施形態を示す斜視図である。
【図４】本発明の更に異なる実施形態のアルミニウム合金押出中空形材へのカラーの取付部のみを抜き出した断面図である。
【図５】本発明の更に異なる実施形態に用いるカラーを示す斜視図である。
【図６】同実施形態を示し、アルミニウム合金押出中空形材にカラーを取り付けた後の状態の一例を示す斜視図である。
【図７】本発明の更に異なる実施形態に用いるカラーを示す斜視図である。
【図８】本発明の更に異なる実施形態に用いるカラーを示す斜視図である。
【図９】本発明の更に異なる実施形態に用いるカラーを示す斜視図である。
【図１０】本発明の更に異なる実施形態に用いるアルミニウム合金押出中空形材を示す斜視図である。
【図１１】本発明の更に異なる実施形態を示す斜視図である。
【図１２】本発明の更に異なる実施形態を示す斜視図である。
【図１３】本発明の更に異なる実施形態を示し、アルミニウム合金押出中空形材にカラーを取り付ける前の状態を示す斜視図である。
【図１４】従来技術の一例を示し、アルミニウム合金押出中空形材にカラーを取り付ける前の状態を示す斜視図である。
【図１５】従来技術の一例を示し、アルミニウム合金押出中空形材にカラーを取り付けた後の状態を示す斜視図である。
【図１６】従来技術の他例を示し、アルミニウム合金押出中空形材にカラーを取り付ける前の状態を示す斜視図である。
【図１７】従来技術の他例を示し、アルミニウム合金押出中空形材にカラーを取り付けた後の状態を示す斜視図である。
【図１８】アルミニウム合金押出中空形材の開口する端縁側から他の部材を挿入して接合する事例を示す斜視図である。
【発明を実施するための形態】
【００２７】
以下、本発明を添付図面に示す実施形態に基づいて更に詳細に説明する。
【００２８】
図１および図２は本発明の一実施形態を示し、図１はアルミニウム合金押出中空形材１に接合部補強用のカラー３を取り付ける前の状態、図２はアルミニウム合金押出中空形材１に接合部補強用のカラー３を取り付けた後の状態を夫々示す。
【００２９】
アルミニウム合金押出中空形材１は、自動車やその他種々の車両などの車体のフレーム類、メンバー類、補強材などの構造部材、或いは車両に用いる種々の構造部材や構造部品などに用いることができる。アルミニウム合金押出中空形材１とすることで材料の軽量が図れると共に、成形の必要もなくなる。
【００３０】
このアルミニウム合金押出中空形材１の長手方向に直交する方向の断面形状は矩形状であり、長手方向端部の対向する平行な２面には、他の部材１５（図１，２には特に図示しない。）と接合するためのボルト貫通孔２が設けられて矩形断面貫通型の接合部を形成している。また、長手方向端部の対向する２面（内面）には突起物は形成されておらず、平坦な面となっている。尚、図１，２には長手方向に直交する方向の断面形状が矩形のアルミニウム合金押出中空形材１を示すが、必ずしも断面形状が矩形である必要はなく、ボルト貫通孔２，２が形成される対向する平行な２面を有した形状であれば良い。例えば、図１０に示すような両側面が丸みを帯びた形状や、図１１に示すような中リブ１６を有するような形状、或いは、図１２に示すような台形状の断面形状であっても良い。
【００３１】
尚、図３〜９に示す実施形態に用いるアルミニウム合金押出中空形材１も、図１，２に示す実施形態のアルミニウム合金押出中空形材１と同一構成の部材であるため、特に詳しい説明はしない。
【００３２】
カラー３は、アルミニウム合金押出中空形材１と同様にアルミニウム合金押出形材で形成される。図１，２に示す実施形態のカラー３は、ボルト挿通孔４が形成された円筒状の筒状部５と、アルミニウム合金押出中空形材１の開口する端縁側を被うような矩形の平板状の取付片６と、筒状部５と取付片６を連結する平板状の連結片７より構成されている。尚、筒状部５に形成されたボルト挿通孔４は、アルミニウム合金押出中空形材１に形成されたボルト貫通孔２と同一径かやや大きめの径であることが好ましい。
【００３３】
カラー３の高さ寸法は、筒状部５と連結片７が、アルミニウム合金押出中空形材１の対向する２面の間隔、即ち、アルミニウム合金押出中空形材１の内周面の高さ寸法と同じ寸法、取付片６も、アルミニウム合金押出中空形材１の内周面の高さ寸法と同じ寸法であることが好ましい。カラー３がこのような形状であれば、押出形材で形成されるカラー３を長手方向に切断するのみで作製することが可能になり、安価に製造ができる。また、取付片６の横幅は、少なくともアルミニウム合金押出中空形材１の端縁と固着できる幅を有する必要があり、アルミニウム合金押出中空形材１の横幅（長手方向に直交する方向の横幅）と同じ寸法であることが好ましい。
【００３４】
アルミニウム合金押出中空形材１の対向する２面のボルト貫通孔２，２間に、ボルト貫通孔２，２と、筒状部５のボルト挿通孔４が連通するようにして、筒状部５をアルミニウム合金押出中空形材１の開口する端縁側から挿入すると、取付片６はアルミニウム合金押出中空形材１の端部形状に応じた形状を有していることで、その端縁に当接することになる。尚、図１，２に示す実施形態のカラー３の取付片６と連結片７は直交するように交わっているが、図１３に示すように、アルミニウム合金押出中空形材１の長手方向端部が斜めに切断されたような形状である場合は、その角度に合わせて取付片６と連結片７が斜めに交わることになる。前記した当接部を溶接等の手段で固着することでアルミニウム合金押出中空形材１の端縁に取付片６が取り付けられる。固着手段としては溶接による取り付けが好ましいが、接着、固定具による取り付けであっても構わない。尚、１１は、アルミニウム合金押出中空形材１と他の部材１５（図１，２には図示しない。）の接合作業に用いるボルトである。
【００３５】
図３は本発明の異なる実施形態を示す。この実施形態では、図１，２に示す実施形態と、カラー３の取付片６の形状が異なる。取付片６の形状が平板状ではなく、両端に筒状部５側に折れ曲がったような折曲片１２が形成された形状である。また、カラー３の高さ寸法がアルミニウム合金押出中空形材１の内周面の高さ寸法よりも低く、アルミニウム合金押出中空形材１の端面に形成された隙間からアルミニウム合金押出中空形材１の内部に他の部材１５（図３には図示しない。）を挿入して接合するような構成になっている。図３に示す実施形態では、両端の折曲片１２，１２で抱き込むようにしてカラー３をアルミニウム合金押出中空形材１の端縁に仮止めした後に溶接等で固着すれば、カラー３をアルミニウム合金押出中空形材１に取り付けることができる。尚、カラー３の断面形状は押出加工によって比較的自由に設定可能であり、このような折曲片１２や、図１３に示すような端部の面取り形状なども大きなコストアップ無しに形成することができる。
【００３６】
また、図４に示すように、アルミニウム合金押出中空形材１に一定の厚みがある場合は、その端縁に段部１３を形成して、その段部１３をカラー３の取付片６の位置決め部とすることができる。
【００３７】
図５は本発明の異なる実施形態に用いるカラー３を示す。この実施形態のカラー３が、図１，２に示す実施形態のカラー３と異なるのは、筒状部５から連結片７とは逆方向に補強片８が延設していることである。この補強片８の上下端縁がアルミニウム合金押出中空形材１の内面に当接していることが好ましいが、アルミニウム合金押出中空形材１の内面に溶接等で固着されていることがより好ましい。尚、アルミニウム合金押出中空形材１の内部に、図１８に示すような他の部材１５が挿入されている場合は、補強片８の上端縁等がこの部材１５に当接されていることが好ましい。また、図６に示すように、この溶接はアルミニウム合金押出中空形材１に設けたトリム孔１４から行うことができる。また、補強片８の肉厚は製品としての必要強度に応じてその長さ、肉厚を適宜設定できる。
【００３８】
ボルト貫通孔２よりアルミニウム合金押出中空形材１の中央側では、端縁側より比較的高い応力が加わる。特にアルミニウム合金押出中空形材１が曲げ荷重を受けるような部材である場合，支持点であるボルト貫通孔２付近が最も高い曲げモーメントを受け、その後荷重点に近づくにつれて曲げモーメントは減少、つまり応力が低減されていく。カラー３が補強片８を有することで、ボルト貫通孔２よりもアルミニウム合金押出中空形材１中央側までカラー３を延ばすことで、荷重負荷時のアルミニウム合金押出中空形材１の断面変形や座屈変形を抑制することが可能になり、変形強度の向上という観点で好ましい。
【００３９】
図７は本発明の更に異なる実施形態に用いるカラー３を示す。この実施形態のカラー３が、図５に示す実施形態のカラー３と異なるのは、補強片８が、筒状部５から連結片７とは逆方向に延びる延設片９と、前記延設片９の先端から直交する方向に分岐する分岐片１０よりなることである。これら延設片９と分岐片１０の上下端縁もアルミニウム合金押出中空形材１の内面に当接していることが好ましいが、上下端がアルミニウム合金押出中空形材１の内面に溶接等で固着されていることがより好ましい。
【００４０】
分岐片１０は延設片９の先端から直交する両側方向に同一長さ分だけ延設していることが好ましいが、その寸法はアルミニウム合金押出中空形材１の内面空間の幅の１／３以下であることがより好ましい。このように、補強片８を延設片９と分岐片１０で構成することで、より効果的にアルミニウム合金押出中空形材１の内側への変形を抑制することができる。
【００４１】
尚、分岐片１０の寸法（横幅）がアルミニウム合金押出中空形材１の内面空間の幅の１／３以下であることがより好ましいとした理由は、座屈変形の際、分岐片１０の変形は、その横幅中央が最も内側に大きく凹むように変形し、それよりも端縁側の変形は小さいため、内面空間の１／３以下の幅で十分であるからである。アルミニウム合金押出中空形材１の横幅中央付近をカラー３で支持して変形を拘束することで、効果的にアルミニウム合金押出中空形材１の変形を抑制することができる。いいかえれば、アルミニウム合金押出中空形材１の内面空間の幅の１／３を超える寸法の分岐片１０をカラー３に設けても、その両端縁付近はアルミニウム合金押出中空形材１の座屈抑制に大きく寄与せず、逆にカラー３の質量を増加させてしまうという問題すら生じるからである。
【００４２】
図８は本発明の更に異なる実施形態に用いるカラー３を示す。この実施形態のカラー３は、筒状部５が更に連結片７で連結された２連のタイプである。このカラー３は、長手方向端部の対向する２面の夫々に、他の部材とボルト接合するためのボルト貫通孔２が２ヶ所設けられて矩形断面貫通型の接合部が形成されたアルミニウム合金押出中空形材１に対応することができる。このようなカラー３を用いることで２つ以上のボルト接合部の位置決めを同時にすることで加工時間の短縮が可能となる。
【００４３】
図９は本発明の更に異なる実施形態に用いるカラー３を示す。この実施形態のカラー３は、ボルト挿通孔４が形成された円筒状の筒状部５と、アルミニウム合金押出中空形材１の開口する端縁側を被うような矩形の平板状の取付片６と、筒状部５と取付片６を連結する２枚の平板状の連結片７，７より構成されている。また、ボルト挿通孔４は筒状部５の中心から偏心した位置に形成されている。カラー３がこのような形状であれば、筒状部５の一部が、図５あるいは図７などに示す連結片７と逆方向に延在する補強片８の役目を果たすことになる。尚、前記したような役目は果たさないが、筒状部５の形状は、例えば、断面Ｃ字状、角管状等であっても構わない。
【符号の説明】
【００４４】
１…アルミニウム合金押出中空形材
２…ボルト貫通孔
３…カラー
３ａ…鍔部
４…ボルト挿通孔
５…筒状部
６…取付片
７…連結片
８…補強片
９…延設片
１０…分岐片
１１…ボルト
１２…折曲片
１３…段部
１４…トリム孔
１５…他の部材
１６…中リブ
【図１】
2014190518.tif 000003
【図２】
2014190518.tif 000004
【図３】
2014190518.tif 000005
【図４】
2014190518.tif 000006
【図５】
2014190518.tif 000007
【図６】
2014190518.tif 000008
【図７】
2014190518.tif 000009
【図８】
2014190518.tif 000010
【図９】
2014190518.tif 000011
【図１０】
2014190518.tif 000012
【図１１】
2014190518.tif 000013
【図１２】
2014190518.tif 000014
【図１３】
2014190518.tif 000015
【図１４】
2014190518.tif 000016
【図１５】
2014190518.tif 000017
【図１６】
2014190518.tif 000018
【図１７】
2014190518.tif 000019
【図１８】
2014190518.tif 000020